(57)【特許請求の範囲】
【請求項１】
肌表面に当接する液透過性の表面シートと、肌着面に当接する液不透過性の裏面シートと、前記表面シートと前記裏面シートとの間に介在されて体液を吸収可能な吸収体とからなり、前記吸収体は下層吸収体上に下層吸収体よりも長手方向及び幅方向において小さい上層吸収体が積層された部分からなる突設部を有し、前記突設部の周囲に突設部を囲むように第１凹部が設けられた吸収性物品であって、
前記第１凹部が連続する連続部と、不連続の間欠部とによって形成されており、
前記第１凹部は、長手方向中心軸を中心に略対称位置に形成され、前記中心軸の一側は連続し、他側に前記間欠部が設けられていることを特徴とする吸収性物品。
【請求項２】
請求項１記載の吸収性物品であって、
前記間欠部は、長手方向中心軸方向に沿った第１凹部に設けられ、かつ長手方向中心軸と直交する軸方向に沿った第１凹部に設けられていないことを特徴とする吸収性物品。
【請求項３】
請求項１又は請求項２記載の吸収性物品であって、
前記第１凹部よりも外側の領域において、前記間欠部の近傍から長手方向中心軸を中心として前記間欠部の反対側にかけて第２凹部が連続又は断続に形成されていることを特徴とする吸収性物品。
【請求項４】
請求項３記載の吸収性物品であって、
前記第２凹部は、前記長手方向中心軸を中心として非対称であることを特徴とする吸収性物品。
【請求項５】
請求項３又は請求項４記載の吸収性物品であって、
前記第２凹部は、深さの異なる深部と最深部とからなり、複数の深部が個別に複数カ所に形成されていることを特徴とする吸収性物品。
【請求項６】
請求項３〜請求項５のいずれか１項記載の吸収性物品であって、
前記第２凹部は、長手方向の端縁に向けて配置されていることを特徴とする吸収性物品。
【請求項７】
請求項３〜請求項６のいずれか１項記載の吸収性物品であって、
前記第２凹部は、前記間欠部を基端として長手方向の端縁側で且つ幅方向の間欠部の反対側まで延設された溝であることを特徴とする吸収性物品。
【請求項８】
請求項１〜請求項７のいずれか１項記載の吸収性物品であって、
前記突設部に隣接し、前記第１凹部に囲まれる領域内に突設部より高さの低い平坦部が形成されていることを特徴とする吸収性物品。
【発明の詳細な説明】
【技術分野】
【０００１】
本発明は、使い捨て紙オムツ、生理用ナプキン、パンティーライナー、失禁パッド等に用いられる吸収性物品に関する。
【背景技術】
【０００２】
従来の吸収性物品として、特許文献１に記載された生理用ナプキンがある。この吸収性物品は、肌当接面に立体形状からなる突設部が形成され、この突設部の外側の囲面に溝からなる凹部が形成されている。そして、凹部が突設部の全周にわたるように設けられた構造となっている。このような構造では、凹部が突設部の外周の全周にわたって形成されているため、突設部から流れる経液を凹部がトラップすることができ、経血の横漏れ、前漏れ、後漏れを全周にわたって防止できる。
【特許文献１】特許第３８６８６２８号公報
【発明の開示】
【発明が解決しようとする課題】
【０００３】
しかしながら、従来の吸収性物品では、凹部が表面シートと吸着層とを圧縮して形成されていることから、凹部の密度が周囲よりも高くなる。このため、凹部の剛性が周囲よりも高くなる。凹部の剛性が高いと、凹部の連続する方向と直交する方向に吸収性物品を曲げることが難しく、体の湾曲に沿うように吸収性物品を曲げる部分が規定できず、無理矢理に曲げることになる。この結果、吸収性物品のよれの原因や肌触りが悪くなる問題がある。
【０００４】
そこで、本発明は、突設部を囲むように凹部が形成された構造であっても、曲げる部分を規定できるようにして、よれの発生を防止でき、肌触りを向上させることが可能な吸収性物品を提供することを目的とする。
【課題を解決するための手段】
【０００５】
請求項１の発明の吸収性物品は、肌表面に当接する液透過性の表面シートと、肌着面に当接する液不透過性の裏面シートと、前記表面シートと前記裏面シートとの間に介在されて体液を吸収可能な吸収体とからなり、前記吸収体は下層吸収体上に下層吸収体よりも長手方向及び幅方向において小さい上層吸収体が積層された部分からなる突設部を有し、前記突設部の周囲に突設部を囲むように第１凹部が設けられた吸収性物品であって、前記第１凹部が連続する連続部と、不連続の間欠部とによって形成されていることを特徴とする。
【０００６】
請求項２の発明は、請求項１記載の吸収性物品であって、前記第１凹部は、長手方向中心軸を中心に略対称位置に形成され、前記中心軸の一側は連続し、他側に前記間欠部が設けられていることを特徴とする。
【０００７】
請求項３の発明は、請求項１又は請求項２記載の吸収性物品であって、前記第１凹部は、長手方向中心軸を中心に略対称位置に形成され、前記中心軸の両側にそれぞれ前記間欠部が形成されていることを特徴とする。
【０００８】
請求項４の発明は、請求項３記載の吸収性物品であって、前記第１凹部よりも外側の領域において、前記間欠部の近傍から幅方向中心軸を中心として前記間欠部の反対側にかけて第２凹部が連続又は断続に形成されていることを特徴とする。
【０００９】
請求項５の発明は、請求項４記載の吸収性物品であって、前記第２凹部は、深さの異なる深部と最深部とからなり、複数の深部が個別に複数カ所に形成されていることを特徴とする。
【００１０】
請求項６の発明は、請求項５記載の吸収性物品であって、前記第２凹部は、長手方向の端縁に向けて配置されていることを特徴とする。
【００１１】
請求項７の発明は、請求項４記載の吸収性物品であって、前記第２凹部は、前記間欠部を基端として長手方向の端縁側で且つ幅方向の間欠部の反対側まで延設された溝であることを特徴とする。
【００１２】
請求項８の発明は、請求項１〜請求項７のいずれか１項記載の吸収性物品であって、前記突設部に隣接し、前記第１凹部に囲まれる領域内に突設部より高さの低い平坦部が形成されていることを特徴とする。
【発明の効果】
【００１３】
本発明によれば、突設部を囲む第１凹部に不連続な間欠部を形成しており、間欠部によって曲げる部分を規定でき、これによりよれの発生を防止でき、肌触りを向上させることができる。
【発明を実施するための最良の形態】
【００１４】
以下、本発明を図示する実施形態により具体的に説明する。なお、各実施形態において、同一の部材には同一の符号を付して対応させてある。
【００１５】
（第１実施形態）
図１〜図３は、本発明の第１実施形態であり、図１は平面図、図２は図１のＡ−Ａ線断面図、図３は製品の断面図である。吸収性物品１は例えば、生理用ナプキンに適用される。
【００１６】
吸収性物品１は、液透過性の表面シート５と、液不透過性の裏面シート６と、表面シート５及び裏面シート６の間に介在された吸収体７とを有している。表面シート５は、肌表面に当接し、裏面シート６は肌着面に当接する。
【００１７】
この実施形態の吸収性物品１においては、図１に示すように、直交するＸ軸及びＹ軸を設定する。Ｙ軸は長手方向中心軸であり、Ｙ軸の両端がそれぞれ着用者の腹側、お尻側に向けて装着される。このとき、Ｘ軸は着用者から見て左右方向となる。
【００１８】
表面シート５は、ポリエチレン、ポリプロピレン、ポリエチレンテレフタレート等の熱可塑性樹脂を素材とし、各樹脂を単独、若しくは芯鞘タイプ、芯鞘の偏芯タイプ、サイドバイサイドタイプの複合の合成繊維としたものを用いることができる。また、表面シートにおける他の形態として、有効プラスチックシートを用いてもよい。有効プラスチックシートとしては、ＰＥ、ＰＰ、ＰＥＴ等の熱可塑性樹脂製有効シートや、多孔質の発泡材等を用いることができる。また、有効プラスチックシートには、必要に応じて酸化チタンや炭酸カルシウム等からなる無機フィラー０．５から１０質量％範囲で混入して白濁化させた有効プラスチックシートを用いてもよい。また、熱可塑性樹脂からなるフィルムをパーフォレーション、ヒートエンボス加工又は機械加工等により開孔処理した有効フィルムを使用してもよい。この有孔フィルムは、不織布と貼り合わせて複合シートとして使用してもよい。表面シート５においては、濡れ性をコントロールするために、これらの繊維表面に親水性や撥水性を付着させたり、練りこませたりすることができる。これらの油剤は通常０．２〜１．０ｗｔ％の量で効果が発揮される。そして、これらの繊維を熱融着、水流交路、スパンボンド等により単独または複合した不織布を表面シート５として用いる。体液との親水性を考慮した場合、パルプ、化学パルプ、レーヨン、アセテート、天然コットンなどのセルロース系の液親水性繊維が含まれていても良い。使用する繊維は１．１〜６．６ｄｔｅｘが好ましく、目付は１５〜１２０ｇ／ｍ２の範囲で調整するのが好ましい。なお、表面シート５と吸収体７の間には、クッションシートや拡散シート等を目的としたシートが配置されていても良い。
【００１９】
裏面シート６は、厚さ１５〜６０μｍのポリエチレン、ポリプロピレン、ポリエチレンテレフタレート、ポリビニルアルコール、ポリ乳酸、ポリブチルサクシネート、又は不織布、紙及びこれらのラミネート材料を用いることができる。また、無機フィラーを充填させて延伸処理を施すことで得られる通気性フィルムでも良い。具体的には、低密度ポリエチレン樹脂を主体として目付１５〜３０ｇ／ｍ２の範囲で調整したフィルムを選択できる。
【００２０】
吸収体７は下層吸収体８と、下層吸収体８上に積層された上層吸収体９と、上層吸収体９上に積層された最上層吸収体１１とによって構成されている。上層吸収体９は下層吸収体８よりも長手方向及び幅方向において小さくなっており、下層吸収体８上で突設する突設部２となる。この突設部２の上層側であって表面シート５の下部側に最上層吸収体１１が積層されている。なお、下層吸収体８及び上層吸収体９は別個とすることなく、一体であっても良い。また、下層吸収体８、上層吸収体９、最上層吸収体１１は、ホットメルト１５によりそれぞれ貼り合わされている。
【００２１】
下層吸収体８、上層吸収体９及び最上層吸収体１１からなる吸収体７は、経血などの体液を吸収可能な材料によって形成される。吸収体７としては、パルプ、化学パルプ、レーヨン、アセテート、天然コットン、高分子吸収体、繊維状高分子吸収体、合成繊維、発泡体等を単独またはこれらを混合したものを用いることにより型崩れし難く、化学的刺激が少ないものとすることができる。又、これらの材料に、紡糸の時点で延伸させて分子配向を高めたもの、断面形状がＹ型やＣ型などの異型のものが混合されていても良い。さらに繊維間の滑り性を高めるために油剤が繊維に塗布されている、もしくは含有されていても良い。吸収体７においては、上述した材料をエアレイドによりシート物に成形したものであっても良く、１層以上のシート物であっても良い。
【００２２】
なお、図３において表面シート５、最上層吸収体１１、下層吸収体８の両側部には、サイドシート１７、１７が配置され、表面シート５、最上層吸収体１１、下層吸収体８の両側部と共に、裏面シート６にホットメルト１５により貼り合わされている。
【００２３】
この実施形態では、上記材料を積層し、シート材料（被覆材）で巻き込んだり、上下２層のシート（被覆材）で挟み込んで積層体を被覆、プレスし、吸収体７を形成する。積層体を被覆する材料は、パルプ、化学パルプ、レーヨン、アセテート、天然コットン等のセルロース系繊維や、ポリエチレン、ポリプロピレン、ポリエチレンテレフタレート等の熱可塑性樹脂を単独、もしくは芯鞘タイプ、芯鞘の偏芯タイプ、サイドバイサイドタイプの繊維を単独、複合したものを水流交絡、スパンボンド、スルーエア等により形成した不織布を用いることができる。
【００２４】
突設部２は、１層以上の吸収体に上記の方法で作成した吸収体を配置して形成することができる。或いは突設部２を１層の吸収体上もしくは下に配置したり、２層以上の吸収体層の間に配置しても良い。さらには、１層の吸収体で部分的に目付けを周辺よりも高くすることによって突設部２を形成しても良い。
【００２５】
突設部２におけるＹ軸方向の寸法は、４０ｍｍ以上であることが好ましく、６０〜１２０ｍｍがより好ましい。Ｘ軸方向の寸法は、１０ｍｍ以上であることが好ましく、２５〜５０ｍｍがより好ましい。吸収体７上における突設部２の位置関係は、突設部２のＹ軸方向前端部がＹ軸方向前端部から少なくとも２０ｍｍ後方に位置することが好ましい。突設部２のＹ軸方向端部が吸収体７のＹ軸方向前端部から少なくとも３０ｍｍ後方に位置することが好ましい。なお、突設部２の形状は、長方形、楕円形、円型、雫型、四角形、三角形など特に限定されない。
【００２６】
突設部２を囲むように溝からなる第１凹部３が設けられる（図３において符号１８にて示す位置）。溝からなる第１凹部３は突設部２の周囲に位置するように下層吸収体８、最上層吸収体１１に設けられるものであり、表面シート５と下層吸収体８と最上層吸収体１１とを圧縮することにより形成される。従って、上層吸収体９には第１凹部３は形成されない。
【００２７】
この実施形態において、第１凹部３に囲まれる領域には、突設部２よりも低い平坦部１０が形成されている。平坦部１０を形成することにより、突設部２からの体液を第１凹部３に円滑に導くことができる。
【００２８】
第１凹部３は、長手方向中心軸であるＹ軸を中心に略対称位置に形成され、Ｙ軸の一側（右側）は連続した連続部３ａとなっているが、他側（左側）には、不連続となる間欠部４が設けられている。すなわち、第１凹部３は突設部２の全周を囲むものとはなっていない。間欠部４はＸ軸方向に沿って設けられることなく、Ｙ軸方向に沿って設けられている。足繰り付近の動きが大きく、違和感を感じやすいため、足繰りに近い部分に曲がる領域を設けた方が違和感を感じにくいためである。
【００２９】
間欠部４の寸法は、２〜２０ｍｍの範囲であり、好ましくは５〜１０ｍｍである。２ｍｍ未満の場合には、吸収体７が十分に曲がることができず、２０ｍｍを超える場合には、突設部２から漏れ出した経血をトラップできずに、第１凹部３の外に経血が漏れ出し易くなる。
【００３０】
以上の構造からなる吸収性物品１ににおいては、突設部２で経血を吸収し、突設部２で吸収しきれなかった経血は、突設部２を囲う第１凹部３でトラップする。第１凹部３は剛性が高くなり、吸収性物品１が体に合わせて曲がるのを防げるが、この実施形態では、第１凹部３は突設部２の全周を囲うことなく、間欠部４を設けてある。このために第１凹部３よりも間欠部４の剛性が低く、吸収性物品１は間欠部４で曲がり易く、柔軟となっている。間欠部４は長手方向中心軸（Ｙ軸）を対称に一方のみに設けられ、もう一方は第１凹部３の溝が連続しているため、まず、間欠部４で優先的に曲がり、いろいろな体の動きに合わせて任意の場所で曲がることができる。従って、吸収性物品１のよれの発生を防止でき、肌触りを向上させることができる。
【００３１】
この実施形態では、間欠部４が突設部２のＹ軸方向後端縁よりも後方に設けられている。このため、突設部２で吸収しきれなかった経血が突設部２の左右（Ｘ軸方向）に流れたとしても、突設部２の左右（Ｘ軸方向）には第１凹部３の溝が位置しているため、経血をトラップすることができる。突設部２からＹ軸方向への経血の流れに関しても、Ｙ軸上に第１凹部３の溝があるために経血をトラップすることができる。
【００３２】
（第２実施形態）
図４及び図５は、本発明の第２実施形態の吸収性物品１Ａ及び１Ｂを示す。
【００３３】
これらの図において、間欠部４は第１凹部３に対して２箇所に設けられている。図４の吸収性物品１Ａにおいては、後方の間欠部４と前方の間欠部４が長手方向中心軸（Ｙ軸）を対称として異なる側に設けられ、図４の吸収性物品１Ｂでは同じ側に間欠部４が設けられている
これらの図において、前方に設けられた間欠部４は、Ｙ軸方向において突設部２の装着時における前端縁よりも前方の領域に設けられている。Ｘ軸方向においては、Ｙ軸中心線上ではない領域に間欠部４が設けられている。間欠部４はＸ軸方向に沿って設けられた溝ではなく、Ｙ軸方向に沿って設けられた溝の一部に形成されることが好ましい。寸法は第１実施形態の間欠部４と同様である。これにより、前方部の体の動きにも合わせることができる。なお、経血をトラップする目的では、図４の吸収性物品１Ａのように、異なる側に配置する方が片側からのみの漏れ出しを防ぐことができ、また、剛性においても着用者の左右方向のどちらかが特に弱くなることがないため好ましい。
【００３４】
（第３実施形態）
図６は、本発明の第３実施形態の吸収性物品１Ｃを示す。この実施形態では、第２実施形態の形状に追加して、吸収性物品１Ｃの前方部、後方部に複数の第２凹部１２が設けられる。第２凹部１２は間欠部４近辺からＹ軸を対称として、間欠部４が設けられている側と異なる側で吸収体７のＹ軸方向の端縁側に向かって複数個、間隔をおいて連なって設けられる。
【００３５】
第２凹部１２は、表面シート５と吸収体７を圧縮して形成される。このため、周辺部よりも密度が高く、液体を引く込む力があり、間欠部４から万一、漏れ出した経血があっても第２凹部１２が設けられている方向へ経血が誘導される。これにより、吸収体７の全面を効率的に利用でき、吸収性物品１Ｃから外への経血の漏れ出しを防ぐことができる。また、間隔をおいて凹部１２が設けられているため、体の動きを邪魔せず、いろいろな動きに合わせてどの部位でも曲がることが可能となっている。
【００３６】
第２凹部１２の最も間欠部４に近い凹部は、間欠部４から２〜３０ｍｍの距離に設けられる。２ｍｍ未満の距離の場合には、間欠部４で吸収性物品１Ｃを曲げることができず、３０ｍｍを超えた距離の場合には、経血の誘導を十分に行うことができない。第２凹部１２の個々間の距離も同様の理由で２〜３０ｍｍである。個々の凹部１２の寸法は、広幅な部分で０．５〜１０ｍｍの範囲が好ましい。０．５ｍｍ未満の範囲では、経血を引き付ける力が弱く、１０ｍｍを超える範囲では、肌触りが悪く、違和感の原因になる。
【００３７】
図７は、第２凹部１２を拡大して示している。第２凹部１２としては、全面が一定の深さを有する凹部であっても構わないが、この実施形態の第２凹部１２は、深さが異なる最深部１３及び深部１４からなる集合体によって形成されている。このような第２凹部１２では、最深部１３の密度と深部１４の密度が異なり、経血の引き込みに効果的であり、剛性が高くなりすぎず、肌触りが悪くなりにくい。
【００３８】
第２凹部１２としては、図７の形状に限定されず、他の形状であっても良い。第２凹部１２は、Ｙ軸と垂直に仮想線を設けたとして、仮想線上に必ず一箇所は存在するようにして設けられる。吸収体７の端縁から最も端縁に位置する第２凹部１２の距離は、５ｍｍ以上である。５ｍｍ未満の場合には、経血を吸収体７の端縁まで誘導しすぎて吸収性物品１Ｃから漏れ出させてしまう危険性がある。
【００３９】
（第４実施形態）
図８は、本発明の第４実施形態を示す。この実施形態の吸収性物品１Ｄは、第３実施形態の変形となっている。吸収性物品１Ｄにおいて、第２凹部１２は図５の吸収性物品１Ｃと異なり、Ｙ軸中心軸の端縁に向かって不連続に連なるように設けられている。又、Ｙ軸の端縁側からさらにＸ軸方向において向かってきた側とは異なる側で、Ｙ軸方向において中心側に向かって連なって不連続に設けられている。これにより、図５の吸収性物品１Ｃと同様に経血が誘導され、吸収体７の全面を効率的に利用できる。
【００４０】
この場合、第２凹部１２の各々は、Ｙ軸を対称として非対称になるように設けられているのが好ましい。これにより、優先的に曲がる部分がなく、どの部分でも曲がることができるため、着用者の体の動きに対応して自由に曲がることが可能となる。
【００４１】
（第５実施形態）
図９は、本発明の第５実施形態の吸収性物品１Ｅを示す。この実施形態において、弧状となって連続した溝によって第２凹部１６が形成されている。連続溝からなる第２凹部１６は吸収性物品１Ｅの前方部、後方部に設けられている。又、第２凹部１６は図５の吸収性物品１Ｃの第２凹部１２と同様の方向に向かって設けられている。これにより、経血が第２凹部１６に沿って誘導され、吸収体７の全面を効率的に利用できる。
【００４２】
本実施例に限られず、第１凹部３は一段の深さからなっていてもよく、第２凹凸部のように深部と最深部とからなっていてもよい。また最深部の形状は丸のほかに、四角形、ハード型、星型などであってもよい。
【図面の簡単な説明】
【００４３】
【図１】本発明の第１実施形態の吸収性物品を示す平面図である。
【図２】図１のＡ−Ａ線断面図である。
【図３】製品を示す断面図である。
【図４】第２実施形態の吸収性物品を示す平面図である。
【図５】第２実施形態の別の吸収性物品を示す平面図である。
【図６】第３実施形態の吸収性物品を示す平面図である。
【図７】第２凹部の拡大平面図である。
【図８】第４実施形態の吸収性物品を示す平面図である。
【図９】第５実施形態の吸収性物品を示す平面図である。
【符号の説明】
【００４４】
１，１Ａ，１Ｂ，１Ｃ，１Ｄ，１Ｅ  吸収性物品
２  突設部
３  第１凹部
３ａ  連続部
４  間欠部
５  表面シート
６  裏面シート
７  吸収体
８  下層吸収体
９  上層吸収体
１０  平坦部
１２、１６  第２凹部
１３  最深部
１４  深部
【図１】
0005164602.tif 000002
【図２】
0005164602.tif 000003
【図３】
0005164602.tif 000004
【図４】
0005164602.tif 000005
【図５】
0005164602.tif 000006
【図６】
0005164602.tif 000007
【図７】
0005164602.tif 000008
【図８】
0005164602.tif 000009
【図９】
0005164602.tif 000010